【手続補正書】
【提出日】平成15年9月19日(2003.9.19)
【手続補正１】
【補正対象書類名】明細書
【補正対象項目名】全文
【補正方法】変更
【補正の内容】
【発明の名称】ポンプゲート
【特許請求の範囲】
【請求項１】水路に設けたゲートの放流用開口部に、開閉手段により昇降して開閉する止水ゲート扉体が設けられたポンプゲートにおいて、
前記止水ゲート扉体に、その止水ゲート扉体を横方向に貫通して止水ゲート扉体の上流側と下流側を連通させる通水管が取付けられ、
この通水管の下流側の外端開口部に、ポンプを収容したポンプケーシングの上流側の内端開口部が分離可能に装着されている、
ことを特徴とするポンプゲート。
【請求項２】前記ポンプケーシングの下流側の外端開口部に、フラップ弁が分離可能に装着されていることを特徴とする請求項１に記載のポンプゲート。
【請求項３】水路に設けたゲートの放流用開口部に開閉手段により昇降して開閉する止水ゲート扉体が設けられ、この止水ゲート扉体にその止水ゲート扉体を横方向に貫通して止水ゲート扉体の上流側と下流側を連通させる通水管が取付けられ、この通水管の下流側の外端開口部に、ポンプを収容したポンプケーシングの上流側の内端開口部が分離可能に装着され、さらに、このポンプケーシングの下流側の外端開口部にフラップ弁が分離可能に装着されるポンプゲートであって、
前記通水管の下流側の外端開口部に、前記ポンプケーシングに代えて、前記フラップ弁が分離可能に装着されていることを特徴とするポンプゲート。
【請求項４】水路に設けたゲートの放流用開口部に開閉手段により昇降して開閉する止水ゲート扉体が設けられ、この止水ゲート扉体にその止水ゲート扉体を横方向に貫通して止水ゲート扉体の上流側と下流側を連通させる通水管が取付けられ、この通水管の下流側の外端開口部に、ポンプを収容したポンプケーシングの上流側の内端開口部が分離可能に装着されるポンプゲートであって、
前記通水管の下流側の外端開口部に、前記ポンプケーシングに代えて、閉塞部材が分離可能に装着されていることを特徴とするポンプゲート。
【発明の詳細な説明】
【０００１】
【発明の属する技術分野】
本発明は、水路と河川の境界部などに設置されるポンプゲートに関する。
【０００２】
【従来の技術】
洪水時において、河川（外水域）の水が水路（内水域）に逆流するのを防止するとともに、内水域の水を外水域へ排水するために、内水域と外水域の境界部に設置されるポンプゲートとして、図２７〜図２９に示すものが知られている。このポンプゲートは、水路１に立設した水門柱２と水路１の床に横設した床部材３とによりコンクリート製のゲート４を構築し、水門柱２に設けられている戸当り２ａに止水ゲート扉体５の左右両側部の前面を当接させるとともに、止水ゲート扉体５の左右両端部をゲート４に設けた案内溝４Ａ，４Ａに摺動可能に嵌め込むことで、ゲート４によって止水ゲート扉体５を昇降自在に支持し、この止水ゲート扉体５に、たとえば横軸ポンプによってなるゲートポンプ６を収容したポンプケーシング１１，１１が固着されている。また、止水ゲート扉体５には、スピンドル８の下端部が一体に結合され、このスピンドル８の上端側はギヤーボックス１０Ａや操作ハンドル１０Ｂおよび電動機（図示省略）などを備えて、水門柱２の頂部フロアー２Ａに設置した開閉手段１０に組込まれている。なお、１台のゲートポンプ６を収容した一つのポンプケーシング１を止水ゲート扉体５に固着した単式構造のポンプゲートまたは３台以上のゲートポンプ６を個別に三つ以上のポンプケーシング１１に収容し、これら三つ以上のポンプケーシング１１を扉体５に固着した複式構造のポンプゲートもある。
【０００３】
前記構成において、ゲート４の放流用開口部７を止水ゲート扉体５で閉じた状態で、ポンプケーシング１１，１１内のゲートポンプ６を運転することにより、水路１における上流側の水路１Ａの水は各ゲートポンプ６の吸込口６Ａから吸込まれ、吐出口６Ｂから下流側の水路１Ｂに吐出（排水）される。また、開閉手段１０により止水ゲート扉体５を吊り上げて、放流用開口部７を開放することによって、水路１における上流側の水路１Ａから下流側の水路１Ｂに自然流下させることができる。なお、図中９はフラップ弁を示し、一対のポンプケーシング１１，１１それぞれの外端開口部に開閉可能に取付けられており、ゲートポンプ６の運転時には開放して、上流側の水路１Ａから下流側の水路１Ｂへの水の流れを許容し、ゲートポンプ６の運転停止時には閉じられて、下流側の水路１Ｂから上流側の水路１Ａへの逆流を防止している。
【０００４】
【発明が解決しようとする課題】
ところが、前記従来のポンプゲートでは、ゲートポンプ６を収容した一対のポンプケーシング１１，１１がそれぞれ止水ゲート扉体５に固着されているので、ポンプケーシング１１，１１内のゲートポンプ６を点検する場合には、点検前に止水ゲート扉体５を水門柱２から取り外し、点検後に止水ゲート扉体５を水門柱２に取付ける大掛かりで煩雑な扉体の脱着作業が必要になるとともに、ゲートポンプ６の点検中は、止水ゲート扉体５が使用できず、放流用開口部７が開放されたままの状態になるので、ゲート本来の機能を発揮することができない難点を有している。
【０００５】
また、上流側の水路１Ａの渇水などの事情によって、長期間ゲートポンプ６の不使用状態が継続されると、各ポンプケーシング１１，１１とこれらポンプケーシング１１，１１に収容されているゲートポンプ６の間隙に異物が堆積して目詰まりを発生させ、ゲートポンプ６に様々な弊害をおよぼすことになる。このため、長期間ゲートポンプ６の不使用状態の継続が予測されても、止水ゲート扉体５からゲートポンプ６を取り外して、前記目詰まりの発生を防止し、かつゲートポンプ６の保護を図ることが困難な問題点を有している。
【０００６】
さらに、止水ゲート扉体５で放流用開口部７を閉じて、ゲートポンプ６の運転を停止した状態では、フラップ弁９の逆流防止作用によって、下流側の水路１Ｂから上流側の水路１Ａへの逆流を防止することはできるものの、ポンプケーシング１１，１１とゲートポンプ６の間隙を通って上流側の水路１Ａから下流側の水路１Ｂに向かう流れが許容されるので、止水ゲート扉体５で放流用開口部７を閉じても完全止水状態を得ることができない難点もある。
【０００７】
そこで、本発明は、主な目的として、止水ゲート扉体を水門柱から取り外すことなく、簡単な作業によりゲートポンプの点検および保護を図ることができるポンプゲートを提供することを目的としている。また、本発明の他の目的（１）として、ゲートポンプの点検中であってもゲート本来の機能を発揮することができるポンプゲートを提供することを目的としている。さらに、本発明の他の目的（２）として、止水ゲート扉体で放流用開口部を閉じた場合に、完全止水状態を得ることができるポンプゲートを提供することを目的としている。
【０００８】
【課題を解決するための手段】
前記主な目的を達成するために、本発明（請求項１の発明）は、水路に設けたゲートの放流用開口部に開閉手段により昇降して開閉する止水ゲート扉体が設けられたポンプゲートにおいて、前記止水ゲート扉体にその止水ゲート扉体を横方向に貫通して止水ゲート扉体の上流側と下流側を連通させる通水管が取付けられ、この通水管の下流側の外端開口部に、ポンプを収容したポンプケーシングの上流側の内端開口部が分離可能に装着されていることを特徴とするものである。
前記他の目的（１）を達成するために、本発明（請求項３の発明）は、水路に設けたゲートの放流用開口部に開閉手段により昇降して開閉する止水ゲート扉体が設けられ、この止水ゲート扉体にその止水ゲート扉体を横方向に貫通して止水ゲート扉体の上流側と下流側を連通させる通水管が取付けられ、この通水管の下流側の外端開口部に、ポンプを収容したポンプケーシングの上流側の内端開口部が分離可能に装着され、さらに、このポンプケーシングの下流側の外端開口部にフラップ弁が分離可能に装着されるポンプゲートであって、
前記通水管の下流側の外端開口部に、前記ポンプケーシングに代えて、前記フラップ弁を分離可能に装着することを特徴とするものである。
前記他の目的（２）を達成するために、本発明（請求項４の発明）は、水路に設けたゲートの放流用開口部に開閉手段により昇降して開閉する止水ゲート扉体が設けられ、この止水ゲート扉体にその止水ゲート扉体を横方向に貫通して止水ゲート扉体の上流側と下流側を連通させる通水管が取付けられ、この通水管の下流側の外端開口部に、ポンプを収容したポンプケーシングの上流側の内端開口部が分離可能に装着されるポンプゲートであって、
前記通水管の下流側の外端開口部に、前記ポンプケーシングに代えて、閉塞部材を分離可能に装着することを特徴とするものである。
【０００９】
請求項１の発明によれば、ゲートの放流用開口部を止水ゲート扉体で閉じた状態で、ポンプケーシング内のゲートポンプ（ポンプ）を運転することにより、止水ゲート扉体の上流側の水をゲートポンプにより下流側に吐出（排水）することができる。また、止水ゲート扉体を開閉手段よって吊り上げて、放流用開口部を開放することによって、止水ゲート扉体の上流側の水を下流側に自然流下させることができる。さらに、請求項２の発明のように、前記ポンプケーシングの下流側の外端開口部にフラップ弁を分離可能に装着すれば、フラップ弁の逆止弁作用により、前記ポンプの運転停止状態で止水ゲート扉体の下流側の水が上流側に逆流するのを防止することができる。
【００１０】
また、請求項３の発明によれば、通水管の外端開口部に、ポンプケーシングの外端開口部のフラップ弁を分離可能に装着することにより、ゲートの放流用開口部を止水ゲート扉体で閉じた状態で、止水ゲート扉体の上流側の水を下流側に排出し、かつ止水ゲート扉体の下流側の水が上流側に逆流するのを防止することができる。
【００１１】
さらに、請求項４の発明によれば、通水管の外端開口部に、閉塞部材を分離可能に装着することにより、ゲートの放流用開口部を止水ゲート扉体で閉じた場合に、完全止水状態を得ることができる。
【００１２】
【発明の実施の形態】
以下、本発明の実施の形態を図面に基づいて説明する。なお、前記図２７〜図２９の従来例と同一部分には同一符号を付して重複した構造および作用説明は省略する。
図１は本発明の一実施の形態を示す縦断側面図、図２は図１の平面図であり、これらの図において、止水ゲート扉体５には、水平方向に貫通して止水ゲート扉体５の上流側の水路１Ａと下流側の水路１Ｂを連通させる一対の通水管１２が取付けられている。各通水管１２の下流側の外端開口部両側には、図３および図４にも示しているように、第１被連結手段１３，１３が設けられ、これら第１被連結手段１３，１３をポンプケーシング１１の上流側の内端開口部両側に設けられている第１連結手段１４，１４により分離可能に連結することによって、通水管１２の外端開口部にポンプケーシング１１の内端開口部が水密に装着されている。また、ポンプケーシング１１の下流側の外端開口部両側には、図５および図６にも示しているように、第２被連結手段１５，１５が設けられ、これら第２被連結手段１５，１５をフラップ弁９の上端部両側に設けられている第２連結手段１６，１６により分離可能に連結することによって、ポンプケーシング１１の外端開口部にフラップ弁９が水密かつ開閉可能に装着されている。
【００１３】
第１連結手段１４，１４は、図７および図８に示すように、下向きフック状に形成されてポンプケーシング１１の内端部に設けられており、たとえば後述する開閉手段によってポンプケーシング１１を吊り降ろすことで、図３に示す第１被連結手段１３，１３を嵌合することにより、通水管１２の外端開口部にポンプケーシング１１の内端開口部を装着して、通水管１２とポンプケーシング１１の連通状態を保持するとともに、前記開閉手段によってポンプケーシング１１を吊り上げることで、第１被連結手段１３，１３の嵌合を解除して、ポンプケーシング１１を通水管１２から分離させることができるようになっている。また、第１連結手段１４，１４の上側には、これら第１連結手段１４，１４を橋絡し、かつ通水管１２側に延出して横向きフック状に形成された両側一対の係合爪１７Ａ，１７Ａを備えている第１係合体１７が設けられている。
【００１４】
第２連結手段１６，１６は、図９および図１０に示すように、下向きフック状に形成されてフラップ弁９に設けられており、たとえば後述する開閉手段によってフラップ弁９を吊り降ろすことで、図５に示す第２被連結手段１５，１５を嵌合することにより、ポンプケーシング１１の外端開口部にフラップ弁９を装着して、ポンプケーシング１１の外端開口部をフラップ弁９で水密かつ開閉可能に塞ぎ、水路１における上流側の水路１Ａから下流側の水路１Ｂへの流れを許容し、下流側の水路１Ｂから上流側の水路１Ａへの逆流を防止するとともに、前記開閉手段によってフラップ弁９を吊り上げることで、第２被連結手段１５，１５の嵌合を解除して、フラップ弁９をポンプケーシング１１から分離させることができるようになっている。また、第２連結手段１６，１６の上側には、これら第２連結手段１６，１６を橋絡し、かつポンプケーシング１１側に延出して横向きフック状に形成された両側一対の係合爪１８Ａ，１８Ａを備えている第２係合体１８が設けられている。
【００１５】
一方、図１１および図１２に示す、閉塞板１９が別途設けられる。この閉塞板１９は、要求に応じてポンプケーシング１１に代えて通水管１２の外端開口部に分離可能に装着されて、通水管１２の外端開口部を閉塞するためのもので、その上端部両側には、前記第１連結手段１４，１４および第２連結手段１６，１６と同一構造で同一寸法の第３連結手段２０，２０が設けられ、第３連結手段２０，２０の上側には、これら第３連結手段２０，２０を橋絡し、かつ前側延出して横向きフック状に形成された両側一対の係合爪２１Ａ，２１Ａを備えている第３係合体２１が設けられている。
【００１６】
他方、図１および図２に示すように、止水ゲート扉体５の内端面に平行して、２本を１組とした２組のガイドパイプ２２，２２が垂直方向に取付けられている。各組のガイドパイプ２２，２２は、図１３および図１４に示すように、止水ゲート扉体５に取付けたブラケット２３の先端部をガイドパイプ２２，２２の側面に固着するとともに、それぞれの下端部を通水管１２に固定支持することによって、止水ゲート扉体５の内端面に平行に取付けられている。図１において、２４は吊りボルトを示す。この吊りボルト２４は、止水ゲート扉体５のみに取付けてあるが、実際は、後述するようにポンプケーシング１１、フラップ弁９および閉塞板１９にも取付けられており、後述する開閉手段によって上げ降ろしする場合に使用される。なお、吊りボルト２４の取付け位置は任意である。
【００１７】
図１において、止水ゲート扉体５の上側に開閉手段２５が設置される。この開閉手段２５は、止水ゲート扉体５を昇降させるとともに、ポンプケーシング１１、フラップ弁９および閉塞板１９を上げ降ろしするためのもので、ホイスト型の巻き上げ機によってなり、止水ゲート扉体５の上側に架設したレール２６を案内に矢印Ｘ方向に進退移動可能であるとともに、ワイヤーロプ２５Ａを巻取りまたは繰り出すことによって、ワイヤーロプ２５Ａの先端部に取付けられているフック２５Ｂが矢印Ｙ方向に昇降する。また、開閉手段２５による止水ゲート扉体５の昇降は、図１５に示すように、幅方向中央部の上側にフック２５Ｂが掛止されるアイボルト２７Ａを備え、幅方向両端部の下側にフック２７Ｂ，２７Ｂを備えたリフティングビーム２７を併用することによって行われる。
【００１８】
前記構成において、図１および図２に示すように、ポンプケーシング１１の外端開口部にフラップ弁９を分離可能に装着し、このポンプケーシング１１の内端開口部を通水管１２の外端開口部に分離可能に装着することによって、ポンプゲートを通常状態で使用することができる。つまり、ゲート４の放流用開口部７を止水ゲート扉体５で閉じた状態で、ポンプケーシング１１内のゲートポンプ６を運転することにより、水路１における上流側の水路１Ａの水を下流側の水路１Ｂに吐出（排水）することができる。
【００１９】
図１５のリフティングビーム２７のアイボルト２７Ａに、二点鎖線で示すように、開閉手段２５のフック２５Ｂを掛け止めた状態で、リフティングビーム２７のフック２７Ｂ，２７Ｂを止水ゲート扉体５のアイボルト２４，２４に掛け止めて、開閉手段２５の作動によりワイヤーロプ２５Ａを巻取ることで、止水ゲート扉体５は吊り上げられて放流用開口部７を開放することができる。これにより、水路１における上流側の水路１Ａの水を下流側の水路１Ｂに自然流下させることができる。この状態で開閉手段２５の作動によりワイヤーロプ２５Ａを繰り出すことによって、ゲート扉体５は吊り降ろされて、放流用開口部７が閉じられる。さらに、フラップ弁９保有の逆止弁作用により、ゲートポンプ６の運転停止状態で水路１における下流側の水路１Ｂの水が上流側の水路１Ａ逆流するのを防止することができる。
【００２０】
一方、図１および図２に示す通常の使用状態において、図１６に示すように、ポンプケーシング１１に取付けられている複数の吊りボルト２４，２４（だだし、図１６には二つの吊りボルト２４，２４のみが示されている）にリフティングワイヤー２８を掛け止め、このリフティングワイヤー２８に開閉手段２５のフック２５Ｂを掛け止めた状態で、開閉手段２５の作動によりワイヤーロプ２５Ａを巻取ることで、ポンプケーシング１１とフラップ弁９は同時に吊り上げられて、通水管１２からゲートポンプ６を収容したポンプケーシング１１を取り外した図１７の状態を得ることができる。すなわち、ゲートポンプ６の点検が従来のような止水ゲート扉体５を水門柱２から取り外す大掛かりで煩雑な作業に頼ることなく、単に、ポンプケーシング１１を通水管１２から取り外す簡単な作業によって行うことができる。
【００２１】
通水管１２から取り外されたポンプケーシング１１は、フラップ弁９とともにゲートポンプ６の点検場所に搬送され、ここでポンプケーシング１１からフラップ弁９を取り外したのちにゲートポンプ６の点検がなされる。ゲートポンプ６の点検に並行して、ポンプケーシング１１から取り外されたフラップ弁９を、図１８に示すように、通水管１２の外端開口部に分離脱可能に装着することにより、ゲート４の放流用開口部７を止水ゲート扉体５で閉じた状態で、水路１における上流側の水路１Ａの水を下流側の水路１Ｂに排出し、かつ下流側の水路１Ｂの水が上流側の水路１Ａに逆流するのを防止することができる。つまり、ゲートポンプ６の点検中であっても、止水ゲート扉体５によって放流用開口部７が閉じられるので、ゲート本来の機能を発揮することができる。また、上流側の水路１Ａの渇水などの事情によって、ゲートポンプ６の不使用状態の継続が予測される場合には、ポンプケーシング１１を通水管１２から簡単に取り外すことができるので、従来のように、ポンプケーシング１１，１１とゲートポンプ６の間隙に異物が堆積して目詰まりが発生することはない。その結果、容易にゲートポンプ６の保護を図ることができる。
【００２２】
通水管１２の外端開口部に対して、フラップ弁９を分離可能に装着する作業は、つぎのようになされる。すなわち、図１９に示すように、フラップ弁９に取付けられている二つの吊りボルト２４，２４にリフティングワイヤー２８を掛け止め、このリフティングワイヤー２８に開閉手段２５のフック２５Ｂを掛け止めた状態で、開閉手段２５の作動によりワイヤーロプ２５Ａを巻取って、一旦、フラップ弁９を吊り上げて、図２０に示すように、フラップ弁９に設けられている第２係合体１８の係合爪１８Ａ，１８Ａをガイドパイプ２２，２２の上側に対応させ、この状態で開閉手段２５の作動によりワイヤーロプ２５Ａを繰り出して、フラップ弁９を吊り降ろし、ガイドパイプ２２，２２に係合爪１８Ａ，１８Ａを係合させたのち、開閉手段２５の作動によりワイヤーロプ２５Ａを繰り出すことで、フラップ弁９はガイドパイプ２２，２２を案内に降下して、最終的には図１８に示すように、フラップ弁９の第２連結手段１６，１６が通水管１２の第１被連結手段１３，１３を嵌合することにより、通水管１２の外端開口部にフラップ弁９が装着される。
【００２３】
ポンプケーシング１１が取り外された通水管１２の外端開口部に、図１８に示したフラップ弁９に代えて、図２１に示すように、閉塞板１９を分離可能に装着することにより、ゲート４の放流用開口部７を止水ゲート扉体４で閉じた状態で完全止水することができる。通水管１２の外端開口部に対して、閉塞板１９を分離可能に装着する作業は、つぎのようになされる。すなわち、図２２に示すように、閉塞板１９に取付けられている二つの吊りボルト２４，２４にリフティングワイヤー２８を掛け止め、このリフティングワイヤー２８に開閉手段２５のフック２５Ｂを掛け止めた状態で、開閉手段２５の作動によりワイヤーロプ２５Ａを巻取って、一旦、閉塞板１９を吊り上げて、図２３に示すように、閉塞板１９に設けられている第２係合体２１の係合爪２１Ａ，２１Ａをガイドパイプ２２，２２の上側に対応させ、この状態で開閉手段２５の作動によりワイヤーロプ２５Ａを繰り出して、閉塞板１９を吊り降ろし、ガイドパイプ２２，２２に係合爪２１Ａ，２１Ａを係合させたのち、開閉手段２５の作動によりワイヤーロプ２５Ａを繰り出すことで、閉塞板１９はガイドパイプ２２，２２を案内に降下して、最終的には図２１に示すように、閉塞板１９の第３連結手段２０，２０が通水管１２の第１被連結手段１３，１３を嵌合することにより、通水管１２の外端開口部に閉塞板１９が装着される。
【００２４】
つぎに、前記ゲートポンプ６の点検が終了したのちに、このゲートポンプ６を収容しているポンプケーシング１１の内端開口部を再び通水管１２の外端開口部に分離可能に装着する作業について説明する。まず、図１８のように、通水管１２の外端開口部にフラップ弁９が分離可能に装着されている場合には、このフラップ弁９を通水管１２の外端開口部から取り外して図１７の状態にする。フラップ弁９の取り外しは、通水管１２の外端開口部に分離可能に装着されているフラップ弁９の二つの吊りボルト２４，２４に、図１９に示すように、リフティングワイヤー２８を掛け止め、このリフティングワイヤー２８に開閉手段２５のフック２５Ｂを掛け止めた状態で、開閉手段２５の作動によりワイヤーロプ２５Ａを巻取って、フラップ弁９を吊り上げる。これにより、フラップ弁９はガイドパイプ２２，２２を案内に上昇して図１７に示す状態が得られる。また、図２１のように、通水管１２の外端開口部に閉塞板１９が分離可能に装着されている場合には、この閉塞板１９を通水管１２の外端開口部から取り外して図１７に示す状態にする。閉塞板１９の取り外しは、通水管１２の外端開口部に分離可能に装着されている閉塞板１９の二つの吊りボルト２４，２４に、図２２に示すように、リフティングワイヤー２８を掛け止め、このリフティングワイヤー２８に開閉手段２５のフック２５Ｂを掛け止めた状態で、開閉手段２５の作動によりワイヤーロプ２５Ａを巻取って、閉塞板１９を吊り上げる。これにより、閉塞板１９はガイドパイプ２２，２２を案内に上昇して図１７に示す状態が得られる。
【００２５】
つぎに、図１６に示すように、ポンプケーシング１１に取付けられている複数の吊りボルト２４，２４にリフティングワイヤー２８を掛け止め、このリフティングワイヤー２８に開閉手段２５のフック２５Ｂを掛け止めた状態で、開閉手段２５の作動によりワイヤーロプ２５Ａを巻取ることで、一旦、ポンプケーシング１１を吊り上げて、図２４に示すように、ポンプケーシング１１に設けられている第１係合体１７の係合爪１７Ａ，１７Ａをガイドパイプ２２，２２の上側に対応させ、この状態で開閉手段２５の作動によりワイヤーロプ２５Ａを繰り出して、ポンプケーシング１１を吊り降ろし、ガイドパイプ２２，２２に係合爪１７Ａ，１７Ａを係合させたのち、開閉手段２５の作動によりワイヤーロプ２５Ａを繰り出すことで、ポンプケーシング１１はガイドパイプ２２，２２を案内に降下して、図２５に示すように、ポンプケーシング１１の第１連結手段１４，１４が通水管１２の第１被連結手段１３，１３を嵌合することにより、通水管１２の外端開口部にポンプケーシング１１が分離可能に装着される。
【００２６】
さらに、通水管１２の外端開口部から取り外されたフラップ弁９の二つの吊りボルト２４，２４に、図１９に示すように、リフティングワイヤー２８を掛け止め、このリフティングワイヤー２８に開閉手段２５のフック２５Ｂを掛け止めた状態で、開閉手段２５の作動によりワイヤーロプ２５Ａを巻取って、一旦、フラップ弁９を吊り上げて、フラップ弁９の第２連結手段１６，１６をポンプケーシング１１の第２挟着部１４，１４の上側に対応させ、この状態で開閉手段２５の作動によりワイヤーロプ２５Ａを繰り出して、フラップ弁９を吊り降ろすことで、フラップ弁９の第２連結手段１６，１６がポンプケーシング１１の第１連結手段１４，１４を嵌合することにより、図１および図２に示すように、ポンプケーシング１１の外端開口部にフラップ弁９を分離可能に装着した通常の使用状態を得ることができる。
【００２７】
なお、前記実施の形態では、通水管１２の外端開口部両側に設けた第１被連結手段１３，１３にポンプケーシング１１の内端開口部両側に設けられている第１連結手段１４，１４を分離可能に連結するとともに、通水管１２の外端開口部両側に設けた第１被連結手段１３，１３およびポンプケーシング１１のの外端開口部両側に設けた第２被連結手段１５，１５には、フラップ弁９の上端部両側に設けた第２連結手段１６，１６または閉塞板１９の上端部両側に設けた第３連結手段２０，２０を分離可能に連結する構成で説明しているが、分離可能に連結する構造は前記実施の形態にのみ限定されるものではなく、たとえば、図２６に示すように、通水管１２における外端開口部のフランジの上端部を第１被連結手段１３とし、このフランジ上端部によってなる第１被連結手段１３にポンプケーシング１１の内端開口部に設けた下向きフック状の第１連結手段１４を分離可能に嵌合することにより、通水管１２側のフランジ面とポンプケーシング１１側のフランジ面を圧着して連結する構造であってもよい。同様に、図示してはいないが、前記フランジ上端部によってなる第１被連結手段１３にフラップ弁９に設けた下向きフック状の第２連結手段１６または閉塞板１９に設けた下向きフック状の第２連結手段２０を分離可能に嵌合して連結するように構成するとともに、ポンプケーシング１１における外端開口部のフランジ上端部を第２被連結手段１５とし、このフランジ上端部によってなる第２被連結手段１５にフラップ弁９に設けた下向きフック状の第２連結手段１６または閉塞板１９に設けた下向きフック状の第２連結手段２０を分離可能に嵌合して連結するように構成してもよい。
【００２８】
また、止水ゲート扉体５に一対の通水管１２を取付け、これら通水管１２それぞれの外端開口部にゲートポンプ６が収容されたポンプケーシング１１の内端開口部を分離可能に装着した構成で説明しているが、通水管１２とゲートポンプ６を収容したポンプケーシング１１の数は、１または３以上であってもよい。また、第１、第２および第３係合体１７、１８、２１とガイドパイプ２２，２２を省略した構造であってもよい。ただし、前記実施の形態のように、第１、第２および第３係合体１７、１８、２１とガイドパイプ２２，２２を設けることで、通水管１２の外端開口部に対するポンプケーシング１１、フラップ弁９および閉塞板１９の装着および分離作業を容易にして、作業性を著しく向上させることができる。
【００２９】
さらに、ワイヤーロプ２５Ａを巻取りまたは繰り出すホイスト型の巻き上げ機によってなる開閉手段２５で説明しているが、開閉手段２５は前記実施例にのみ限定されるものではなく、他の様々な構造の巻き上げ機を開閉手段２５として使用することができる。勿論、ワイヤーロプ２５Ａに代えてリンクチェーインを巻取りまたは繰り出してもよいことはいうまでもない。さらに、開閉手段２５は、ポンプケーシング１１、フラップ弁９および閉塞板１９の分離または装着のみに使用し、止水ゲート扉体４は従来例と同様にスピンドル８を介して、専用の開閉手段１０によって開閉するようにしてもよい。
【００３０】
【発明の効果】
本発明は、以下のような格別の効果を奏する。
【００３１】
すなわち、請求項１の発明によれば、通水管にポンプケーシングを分離可能に装着することができるので、止水ゲート扉体を水門柱から取り外す大掛かりで煩雑な作業に頼ることなく、単に、ポンプケーシングを通水管から取り外す簡単な作業によって、ポンプケーシングに収容したゲートポンプの点検を行うことができる。
【００３２】
また、請求項３の発明によれば、ポンプケーシングが取り外された通水管の外端開口部に、フラップ弁を分離可能に装着することにより、ゲートポンプの点検中であっても、ゲートの放流用開口部を止水ゲート扉体で閉じた状態で、止水ゲート扉の上流側の水を下流側に排出し、かつ止水ゲート扉体の下流側の水が上流側に逆流するのを防止して、ゲート本来の機能を発揮することができるとともに、渇水などの事情によって、ゲートポンプの不使用状態の継続が予測される場合には、ポンプケーシングを通水管から取り外すことで、従来のように、ポンプケーシングとゲートポンプの間隙に異物が堆積して目詰まりが発生するのを避けることができる。その結果、ゲートポンプを保護することができる。
【００３３】
さらに、請求項４の発明によれば、ポンプケーシングが取り外された通水管の外端開口部に、閉塞部材を分離可能に装着することにより、ゲートの放流用開口部を止水ゲート扉体で閉じた場合に、完全止水状態を得ることができる。
【図面の簡単な説明】
【図１】本発明の一実施の形態を示す縦断側面図である。
【図２】図１の平面図である。
【図３】通水管の外端開口部の一実施の形態を示す拡大側面図である。
【図４】図３の平面図である。
【図５】ポンプケーシングの外端開口部の一実施の形態を示す拡大側面図である。
【図６】図５の平面図である。
【図７】ポンプケーシングの内端開口部の一実施の形態を示す拡大側面図である。
【図８】図７の平面図である。
【図９】フラップ弁の一実施の形態を示す拡大側面図である。
【図１０】図９の平面図である。
【図１１】閉塞板の一実施の形態を示す拡大側面図である。
【図１２】図１１の平面図である。
【図１３】ガイドパイプの取付け状態の一実施の形態を示す拡大平面図である。
【図１４】図１３の側面図である。
【図１５】リフティングビームの一実施の形態を示す拡大正面図である。
【図１６】ポンプケーシングの吊り状態を示す拡大正面図である。
【図１７】通水管からポンプケーシングを取り外した状態を示す拡大側面図である。
【図１８】通水管にフラップ弁を装着した状態を示す拡大側面図である。
【図１９】フラップ弁の吊り状態を示す拡大正面図である。
【図２０】フラップ弁とガイドパイプの関係を示す拡大平面図である。
【図２１】通水管に閉塞板を装着した状態を示す拡大側面図である。
【図２２】閉塞板の吊り状態を示す拡大正面図である。
【図２３】閉塞板とガイドパイプの関係を示す拡大平面図である。
【図２４】ポンプケーシングとガイドパイプの関係を示す拡大平面図である。
【図２５】通水管にポンプケーシングを装着した状態を示す拡大側面図である。
【図２６】連結手段と被連結手段の変形例を示す縦断側面図である。
【図２７】従来例の縦断側面図である。
【図２８】図２７のＡ−Ａ矢視図である。
【図２９】図２７のＢ−Ｂ矢視図である。
【符号の説明】
１  水路
４  ゲート
５  止水ゲート扉体
６  ゲートポンプ（ポンプ）
７  放流用開口部
９  フラップ弁
１１  ポンプケーシング
１２  通水管
１３  第１被連結手段
１４  第１連結手段
１５  第２被連結手段
１６  第２連結手段
１９  閉塞板（閉塞部材）
２０  第３連結手段
２５  開閉手段